(57)【要約】【課題】有機性廃棄物等を確実に、短時間に、且つ均一に撹拌処理でき、発酵或いは乾燥処理した有機性廃棄物等を、排出部から処理ドラム外にスムーズに且つ連続的に排出でき、取扱い容易で、構成簡素で、耐久性に優れ、経済的な撹拌移送装置を提供する。【解決手段】回転ドラムＢと一対のドラム端部Ｃ、Ｄとからなる処理ドラムを設け、一方のドラム端部Ｃに投入手段を設け、他方のドラム端部Ｄに排出部３５を設け、回転ドラムＢの内表面に複数の固定羽根片Ｆを固定し、一対のドラム端部Ｃ、Ｄに軸架する一対の撹拌羽根体Ｅを形成し、一方の撹拌羽根体Ｅは、有機性廃棄物等を一方のドラム端部Ｃがわから他方のドラム端部Ｄがわに移送し、他方の撹拌羽根体Ｅは、有機性廃棄物等を他方のドラム端部Ｄがわから一方のドラム端部Ｃがわに移送し、有機性廃棄物等を無端環状に移送できるよう構成する。【選択図】　　　　図２
2004141792.tif 000002
【特許請求の範囲】
【請求項１】
生ゴミの如き有機性廃棄物等を発酵或いは乾燥処理して、肥料や飼料等として活用できるようにした発酵及び乾燥処理機に於いて、架台に回転自在に横設されると共に、適宜駆動手段によって正逆自在に駆動回転する回転ドラムと、この回転ドラムの一端部を塞ぐように架台に取付け可能な一方のドラム端部と、回転ドラムの他端部を塞ぐように架台に取付け可能な他方のドラム端部とからなる処理ドラムを形成し、この処理ドラムの一方のドラム端部の上部には、有機性廃棄物等の投入手段を設け、他方のドラム端部の下部には、発酵、乾燥処理された有機性廃棄物等を排出する排出部を設け、回転ドラムの内表面には、処理ドラム内の有機性廃棄物等を回転ドラムの回転方向に沿って掬い上げるような複数の固定羽根片を固定し、一対のドラム端部の下部左右に夫々設けた軸受を介して略平行に配されると共に、一方のドラム端部の軸受と他方のドラム端部の軸受とで回転自在に軸架される一対の撹拌羽根体を形成し、一方の撹拌羽根体は、処理ドラム内の有機性廃棄物等を一方のドラム端部がわから他方のドラム端部がわに向って移送するように構成され、他方の撹拌羽根体は、処理ドラム内の有機性廃棄物等を他方のドラム端部がわから一方のドラム端部がわに向って移送するように構成され、一対の撹拌羽根体の駆動回転によって、処理ドラム内下部の有機性廃棄物等が無端環状に移送されるように構成したことを特徴とする発酵及び乾燥処理機に於ける撹拌移送装置。
【請求項２】
撹拌羽根体は、一方のドラム端部の軸受と他方のドラム端部の軸受とで回転自在に軸架される回転軸と、この回転軸を囲繞するように配されると共に、螺旋状に捩れた状態に配される略長尺螺旋帯状の回転羽根片と、この回転羽根片を回転軸に連結する複数の連結片とで構成したことを特徴とする請求項１記載の発酵及び乾燥処理機に於ける撹拌移送装置。
【請求項３】
撹拌羽根体は、一方のドラム端部の軸受と他方のドラム端部の軸受とで回転自在に軸架される回転軸と、この回転軸の軸心方向に沿って適宜間隔に配されると共に、回転軸の回転方向に沿って適宜間隔宛捩れた状態に配される複数の回転羽根片と、この複数の回転羽根片を回転軸に連結する複数の連結片とで構成したことを特徴とする請求項１記載の発酵及び乾燥処理機に於ける撹拌移送装置。
【発明の詳細な説明】
【０００１】
【発明の属する技術分野】
本発明は、主に、生ゴミの如き有機性廃棄物等を肥料や飼料等として活用すべく発酵或いは乾燥処理が行えるようにした発酵及び乾燥処理機に於いて、特に、有機性廃棄物等の最適な撹拌処理が、確実に行え、短時間で行え、且つ能率良く行えるようにすると共に、発酵、乾燥処理された有機性廃棄物等を処理ドラム内からスムーズに排出（移送）できるように工夫した発酵及び乾燥処理機に於ける撹拌移送装置に関するものである。
【０００２】
【従来の技術】
従来、この種の発酵或いは乾燥処理機としては種々のものが提供されており、例えば、特許文献１の有機性廃棄物の処理装置のように、ドラムを回転自在に支持し、このドラム内表面に撹拌羽根を固着し、ドラムを回転せしめることで、ドラム内の有機性廃棄物等を撹拌できるようにしたタイプのものがある。
【０００３】
【特許文献１】
特公平７−７４１１２号公報（図１、図２、図３）
【０００４】
【発明が解決しようとする課題】
ところが、前述の如き処理装置にあっては、例えば、水分調整材として予め投入されているおが屑と生ゴミの如き有機性廃棄物とでは大きな比重差があり、また、有機性廃棄物の中でも比較的大きな比重差があるため、これらの有機性廃棄物等を処理（撹拌）する場合、ドラムの回転と、ドラム内表面に固着した撹拌羽根とによる撹拌だけでは、これらが十分に且つ均一に撹拌され難い難点があった。しかも、ある程度撹拌できたとしてもその処理時間が長くかかる等の難点があった。
更に、発酵或いは乾燥処理された有機性廃棄物等をドラム外に排出する際、これがスムーズに且つ連続的に行い難い等の難点があった。
【０００５】
【課題を解決するための手段】
そこで、本発明は、前述の如き難点等を解消し、比較的大きな比重差のある有機性廃棄物等を処理（撹拌）する場合であっても、これらが短時間で均一に撹拌されるようになり、また、発酵或いは乾燥処理された有機性廃棄物等を処理ドラム外にスムーズに且つ連続的に排出できるようになり、しかも、取扱いが容易で、構成が簡素で、耐久性に優れた発酵及び乾燥処理機に於ける撹拌移送装置を提供できるようにすべく創出されたものである。
しかして、請求項１記載の撹拌移送装置にあっては、生ゴミの如き有機性廃棄物等を発酵或いは乾燥処理して、肥料や飼料等として活用できるようにした発酵及び乾燥処理機に於いて、架台Ａに回転自在に横設されると共に、適宜駆動手段によって正逆自在に駆動回転する回転ドラムＢと、この回転ドラムＢの一端部を塞ぐように架台Ａに取付け可能な一方のドラム端部Ｃと、回転ドラムＢの他端部を塞ぐように架台Ａに取付け可能な他方のドラム端部Ｄとからなる処理ドラムを形成し、この処理ドラムの一方のドラム端部Ｃの上部には、有機性廃棄物等の投入手段を設け、他方のドラム端部Ｄの下部には、発酵、乾燥処理された有機性廃棄物等を排出する排出部３５を設け、回転ドラムＢの内表面には、処理ドラム内の有機性廃棄物等を回転ドラムＢの回転方向に沿って掬い上げるような複数の固定羽根片Ｆを固定し、一対のドラム端部Ｃ、Ｄの下部左右に夫々設けた軸受を介して略平行に配されると共に、一方のドラム端部Ｃの軸受と他方のドラム端部Ｄの軸受とで回転自在に軸架される一対の撹拌羽根体Ｅを形成し、一方の撹拌羽根体Ｅは、処理ドラム内の有機性廃棄物等を一方のドラム端部Ｃがわから他方のドラム端部Ｄがわに向って移送するように構成され、他方の撹拌羽根体Ｅは、処理ドラム内の有機性廃棄物等を他方のドラム端部Ｄがわから一方のドラム端部Ｃがわに向って移送するように構成され、一対の撹拌羽根体Ｅの駆動回転によって、処理ドラム内下部の有機性廃棄物等が無端環状に移送されるように構成する手段を採用した。
【０００６】
また、請求項２記載の撹拌移送装置にあっては、撹拌羽根体Ｅは、一方のドラム端部Ｃの軸受と他方のドラム端部Ｄの軸受とで回転自在に軸架される回転軸４０と、この回転軸４０を囲繞するように配されると共に、螺旋状に捩れた状態に配される略長尺螺旋帯状の回転羽根片４１と、この回転羽根片４１を回転軸４０に連結する複数の連結片４２とで構成する手段を採用した。
【０００７】
更に、請求項３記載の撹拌移送装置にあっては、撹拌羽根体Ｅは、一方のドラム端部Ｃの軸受と他方のドラム端部Ｄの軸受とで回転自在に軸架される回転軸５０と、この回転軸５０の軸心方向に沿って適宜間隔に配されると共に、回転軸５０の回転方向に沿って適宜間隔宛捩れた状態に配される複数の回転羽根片５１と、この複数の回転羽根片５１を回転軸５０に連結する複数の連結片５２とで構成する手段を採用した。
【０００８】
【発明の実施の形態】
以下、本発明を図示例に基づいて説明すると、次の通りである。
本発明は、例えば、処理ドラム内に、水分調整材としてのおが屑等を投入し、加えて、公知の微生物を混入し、この中に一般家庭や、企業等から出される生ゴミの如き有機性廃棄物を投入して、撹拌することにより、処理ドラム内で微生物を繁殖、活性化せしめ、有機性廃棄物の発酵、分解を促し、有機性廃棄物の大幅な減容や、或いは、乾燥処理により肥料や飼料等として活用できるようにした発酵及び乾燥処理機に於いて、処理ドラム内での有機性廃棄物等の最適な撹拌処理がより短い時間で能率良く行えるようにすると共に、発酵、乾燥処理された有機性廃棄物等を処理ドラム内からスムーズに排出（移送）できるように構成した撹拌移送装置である。
【０００９】
そして、本発明の撹拌移送装置は、以下のように構成されている。
すなわち、適宜構成の架台Ａの上に適宜支持手段を介して回転自在に横設されると共に、適宜駆動手段を介して正逆自在に駆動回転するよう形成される回転ドラムＢと、適宜取付手段を介して架台Ａの上に取付けられると共に、回転ドラムＢの一端部を密閉状態に塞ぐことができるように形成される一方のドラム端部Ｃと、適宜取付手段を介して架台Ａの上に取付けられると共に、回転ドラムＢの他端部を密閉状態に塞ぐことができるように形成される他方のドラム端部Ｄとで処理ドラムを形成する。
【００１０】
更に、前記処理ドラムの一方のドラム端部Ｃの上部には、有機性廃棄物等をスムーズに投入できるような適宜投入手段（投入部３０）を設け、他方のドラム端部Ｄの下部には、発酵、乾燥処理された有機性廃棄物等をスムーズに排出できるような排出部３５を設ける。
【００１１】
それから、回転ドラムＢの内表面には、処理ドラム内の有機性廃棄物等を回転ドラムＢの回転方向に沿って掬い上げるような複数の略帯板状の固定羽根片Ｆを固定してある。
【００１２】
そして、一対のドラム端部Ｃ、Ｄの下部左右に夫々設けた軸受を介して略平行に配されると共に、一方のドラム端部Ｃの軸受と他方のドラム端部Ｄの軸受とで回転自在に軸架される一対の撹拌羽根体Ｅを形成する。
しかも、一方の撹拌羽根体Ｅは、処理ドラム内の有機性廃棄物等を一方のドラム端部Ｃがわから他方のドラム端部Ｄがわに向って確実に且つスムーズに移送できるように構成され、他方の撹拌羽根体Ｅは、処理ドラム内の有機性廃棄物等を他方のドラム端部Ｄがわから一方のドラム端部Ｃがわに向って確実に且つスムーズに移送できるように構成されており、一対の撹拌羽根体Ｅの駆動回転によって、処理ドラム内下部の有機性廃棄物等を無端環状に移送できるように構成されている。
すなわち、駆動回転する一対の撹拌羽根体Ｅと、回転ドラムＢの内表面に固定され、回転ドラムＢと共に回転する複数の撹拌羽根体Ｆとによって、比較的大きな比重差のある有機性廃棄物等（おが屑等と生ゴミの如き有機性廃棄物）を処理（撹拌）する場合であっても、これらを短時間で且つ均一に撹拌できるよう構成してある。
尚、一対の撹拌羽根体Ｅの駆動回転動作は、回転ドラムＢ及び回転ドラムＢ内表面に固定した複数の撹拌羽根体Ｆの回転動作とは別個に行うことができるように構成されており、一対の撹拌羽根体Ｅの駆動回転によって、発酵或いは乾燥処理された有機性廃棄物等の一部或いは全部を、発酵或いは乾燥処理作業を中断することなく排出部３５から処理ドラム外にスムーズに且つ連続的に排出できるように構成してある。
【００１３】
そして、図１乃至図３に示すような撹拌羽根体Ｅは、一方のドラム端部Ｃの軸受と他方のドラム端部Ｄの軸受とで回転自在に軸架されると共に、ギャードモータ４５によって回転する回転軸４０と、この回転軸４０を囲繞するように配されると共に、螺旋状に捩れた状態に配される略長尺螺旋帯状の回転羽根片４１と、この回転羽根片４１を回転軸４０に連結する複数の連結片４２とで構成されており、回転軸４０と共に回転する回転羽根片４１によって、回転軸４０近傍にある有機性廃棄物等を回転軸４０の軸心方向に沿って連続的に且つ確実に移送できるよう構成されたものである。
【００１４】
しかも、一方の撹拌羽根体Ｅは、処理ドラム内の有機性廃棄物等を一方のドラム端部Ｃがわから他方のドラム端部Ｄがわに向って確実に且つスムーズに移送できるように構成されている。尚、一方の撹拌羽根体Ｅの他端がわ（他方のドラム端部Ｄがわ）に移送された有機性廃棄物等が、他方の撹拌羽根体Ｅの他端がわにスムーズに移送されるように、図示例では、回転軸４０の他方のドラム端部Ｄがわ部分に於いて回転羽根片４１を設けてないが、この部分にまで回転羽根片４１が延長されるように設けてあっても良い。
更に、他方の撹拌羽根体Ｅは、処理ドラム内の有機性廃棄物等を他方のドラム端部Ｄがわから一方のドラム端部Ｃがわに向って確実に且つスムーズに移送できるように構成されている。尚、他方の撹拌羽根体Ｅの一端がわ（一方のドラム端部Ｃがわ）に移送された有機性廃棄物等が、一方の撹拌羽根体Ｅの一端がわにスムーズに移送されるように、図示例では、回転軸４０の一方のドラム端部Ｃがわ部分に於いて回転羽根片４１を設けてないが、この部分にまで回転羽根片４１が延長されるように設けてあっても良い。
【００１５】
また、図４乃至図６に示すような撹拌羽根体Ｅは、一方のドラム端部Ｃの軸受と他方のドラム端部Ｄの軸受とで回転自在に軸架されると共に、ギャードモータによって回転する回転軸５０と、この回転軸５０の軸心方向に沿って適宜間隔に配されると共に、回転軸５０の回転方向に沿って適宜間隔宛捩れた状態に配される複数の回転羽根片５１と、この複数の回転羽根片５１を回転軸５０に連結する複数の連結片５２とで構成されており、回転軸５０と共に回転する複数の回転羽根片５１によって、回転軸５０近傍にある有機性廃棄物等を回転軸５０の軸心方向に連続的に且つ確実に移送できるように構成されたものである。
【００１６】
前記架台Ａは、例えば、アングル材等の適宜型材や、その他鋼材や、その他金属材等を溶接手段等によって適宜形状に連結して構成され、安定性に優れ、強度が高く、耐久性に優れ、できる限りコンパクトとなるように組立てられたものが利用される。
そして、この架台Ａには、例えば、四つの支持ローラ１が回転自在に支持されていると共に、この四つの支持ローラ１の回転中心が平行となるように揃えられており、この四つの支持ローラ１によって回転ドラムＢが僅かな力でスムーズに回転するよう形成されている。
また、架台Ａには、例えば、一対の取付支持部２と一対の取付支持部３が一対のドラム端部Ｃ、Ｄ夫々の近傍に立設されており、この取付支持部２、３によって一対のドラム端部Ｃ、Ｄ夫々が架台Ａに安定的に支持される共に、取付支持部２を中心として水平方向に揺動自在となるように支持されている。
更に、架台Ａには、駆動軸にスプロケット５が固着されているギャードモータ４が配されている。
【００１７】
前記回転ドラムＢは、適宜金属材等によって略円筒状に形成されるドラム基筒１０によって構成されており、その筒心（回転中心線）が略水平となると共に、この筒心を中心として正逆回転自在となるように架台Ａの四つの支持ローラ１の上に横設されている。
更に、ドラム基筒１０の外表面部分には、支持ローラ１に直に接触する一対のガイドリング２０が所定位置（支持ローラ１の間隔に対応した位置）に外装固着してあり、回転ドラムＢ（ドラム基筒１０）の耐久性が向上するように形成してある。しかも、ガイドリング２０には短いフランジ部分が周設してあり、このフランジ部分が支持ローラ１の側面に接触することで、回転ドラムＢの筒心方向での移動を規制している。
【００１８】
また、回転ドラムＢは、ドラム基筒１０の一端寄り（或いは、他端寄り、或いは、中間部でも良い）外表面部分に、前記ギャードモータ４のスプロケット５に噛み合うチェーン２１が外装固着してあり、ギャードモータ４の駆動回転力が回転ドラムＢに確実に伝達されて、回転ドラムＢを僅かな力でスムーズに回転せしめられるように形成してある。
【００１９】
しかして、前記支持手段は、例えば、架台Ａに設けた四つの支持ローラ１と、回転ドラムＢに設けた一対のガイドリング２０とによって構成され、回転ドラムＢを安定的に支持すると共に、回転ドラムＢを滑らかに正逆回転せしめられるように構成してある。
【００２０】
また、前記駆動手段は、例えば、架台Ａに固定したギャードモータ４と、ギャードモータ４の駆動軸に固定したスプロケット５と、ドラム基筒１０に固定したチェーン２１とによって構成され、回転ドラムＢを僅かな出力で確実に、スムーズに、且つ安定的に正逆回転せしめられるように構成してある。
【００２１】
加えて、前記回転ドラムＢは、例えば、比較的大きな略矩形状の窓孔部１１がドラム基筒１０の円周方向に沿って等間隔に複数開口せしめてあり、また、この窓孔部１１に合致する略湾曲矩形板状の窓蓋板１２が、適宜配される止具を介して取外し可能に窓孔部１１に装着されている。しかも、窓蓋板１２には、例えば、小円孔状の複数の通気孔１３が穿設されており、更に、窓蓋板１２の内表面を、処理ドラム内の有機性廃棄物等を通さず、且つ通気性を備えた通気フィルターで覆うように形成してある。尚、窓蓋板１２は、例えば、パンチングメタル等を使用して構成することができ、通気フィルターは、簡単に互換装着できるように構成されている。
ところで、前記窓孔部１１や、窓蓋板１２や、通気フィルター等は、回転ドラムＢに設けてなくても良い。
【００２２】
前記一方のドラム端部Ｃは、適宜金属材等によって形成され、例えば、回転ドラムＢの一端部に合致して気密的に閉塞できるようにした側板部によって構成されている。そして、側板部の下部左右には撹拌羽根体Ｅを回転自在に支持する軸受が固定され、側板部の上部中央には有機性廃棄物等の投入部３０が連設され、側板部の上側部には、温風供給手段からの温風（或いは、熱風）が供給される温風導入部が設けられている。しかも、側板部には、前記架台Ａに立設させた取付支柱等の取付支持部２に揺動自在に取付けられる取付アーム３１と、前記架台Ａに立設させた取付杆状の取付支持部３にボルト、ナット等を介して連結自在に取付けられる取付片３３とが設けられ、取付支持部２を支点として水平方向に揺動可能となるよう構成されている。
【００２３】
ところで、一方のドラム端部Ｃは、図４乃至図６に示すように、回転ドラムＢに合致するような略短円筒状の周胴部と、この周胴部の一端がわを閉塞する側板部とで構成し、周胴部には、前記架台Ａに立設させた取付支柱等の取付支持部２に揺動自在に取付けられる取付アーム３１と、前記架台Ａに立設させた取付杆状の取付支持部３にボルト、ナット等を介して連結自在に取付けられる取付片３３とが設けられ、取付支持部２を支点として水平方向に揺動可能となるよう構成したものであっても良い。
しかも、側板部の下部左右には撹拌羽根体Ｅを回転自在に支持する軸受が固定されており、側板部上部と周胴部上部とに跨るように、投入部３０に連通する投入筒が固定され、周胴部上部には、温風供給手段からの温風（或いは、熱風）が供給される温風導入部３２が設けられている。
【００２４】
前記他方のドラム端部Ｄは、適宜金属材等によって形成され、例えば、回転ドラムＢの他端部に合致して気密的に閉塞するような側板部からなり、側板部には、前記架台Ａに立設させた取付支柱等の取付支持部２に揺動自在に取付けられる取付アーム３６と、前記架台Ａに立設させた取付杆状の取付支持部３にボルト、ナット等を介して連結自在に取付けられる取付片３８とが設けられ、取付支持部２を支点として水平方向に揺動可能となるよう構成されている。
また、側板部の下部左右には撹拌羽根体Ｅを回転自在に支持する軸受が固定されており、側板部下部には、排出口と、この排出口を開閉自在な蓋板からなる排出部３５が設けられ、側板部上部には、処理ドラム内の温風を排気するための温風排気部３７が設けられている。
【００２５】
ところで、回転ドラムＢとドラム端部Ｃ、Ｄとの接触部分夫々には、還状のパッキン（例えば、グランドパッキン）が介装されて、回転ドラムＢが摺動し易く且つその部分の気密性が確実に保てるように構成されている。
【００２６】
具体的には、例えば、ドラム端部Ｃ、Ｄに、横断面略溝状のリング体を外装固着し、このリング体の溝内に押圧リングとパッキンを夫々収容し、回転ドラムＢの両開放端部に、横断面略Ｌ字状のリング体を外装固着し、この横断面略Ｌ字状のリング体の先端周縁部分を、前記横断面略溝状のリング体の溝部分に収容せしめるようにして構成されている。このとき、リング体に螺着した複数の締付用ネジによって押圧リングを押圧し、この押圧リングによってパッキンが前記リング体の先端周縁部分に均一に圧接されて、この部分の気密性等が確実に維持できるようにしてある（図示せず）。
または、回転ドラムＢの開放端部に、横断面略溝状のリング体を外装固着し、このリング体の溝内に押圧リングとパッキンを夫々収容し、ドラム端部Ｃ、Ｄに、リング体を固着し、このリング体を、前記横断面略溝状のリング体の溝部分に収容せしめるようにして構成しても良い。
【００２７】
ところで、本発明の撹拌移送装置が組込まれる発酵及び乾燥処理機は、例えば、前述の如き処理ドラムを囲繞外装体Ｇによって全体的に覆うように構成され、この囲繞外装体Ｇは、有機性廃棄物等の臭いや、回転ドラムＢの回転音等が外部に漏れないようにすると共に外観上の体裁が良好となるように、処理ドラム全体を確実に且つ簡単に囲繞できるように構成されたものである。尚、この囲繞外装体Ｇは、処理ドラム部分の熱が外部に逃げて、熱エネルギーの損失がおきないように断熱性を有する材料等を利用して構成しても良い。
【００２８】
そして、囲繞外装体Ｇの他端がわには、排出口６１と、この排出口６１を開閉自在な排出蓋６２とが設けられており、更に、他方のドラム端部Ｄの排出部３５と、排出口６１とを結ぶような排出路６０が設けられている。すなわち、処理が終わった有機性廃棄物等を処理ドラムから排出するときに、排出部３５を開いて有機性廃棄物等が処理ドラム外に排出すると、排出路６０を経て排出口６１から囲繞外装体Ｇ外にスムーズに排出できるように構成されている。
更に、例えば、囲繞外装体Ｇの正面部分には、比較的大きな点検窓孔６５が開口されていると共に、この点検窓孔６５を開閉自在な点検窓蓋６６が設けられている。
【００２９】
尚、図中７０は、処理ドラム内に温風を強制的に送り込むための送風機を示し、図中７１は、空気を所望温度に上げられるように構成されているヒーターを示し、図中７２は、送風機７０や、ヒーター７１や、温風導入部３２や、温風排気部３７等を結ぶ管路を示し、図中７４は、温風排気部３７から処理ドラム外に排出される温風の一部或いは全部を確実に脱臭してから囲繞外装体Ｇ外に排気できるようにした脱臭器である。尚、温風排気部３７から処理ドラム外に排出される温風の一部或いは全部を温風導入部３２がわに再び導入できるようにするための排気切換レバーを設けても良い。
【００３０】
前記脱臭器７４は、例えば、適宜ケース本体と、このケース本体内に複数配される脱臭性の優れた酸化チタン吸着フィルターと、この酸化チタン吸着フィルターの上方に夫々配される蛍光灯と、ケース本体内上部の排気口近傍に配されるファンとを備え、処理ドラムからの温風を確実に脱臭してから排出できるように構成されている（図示せず）。
【００３１】
ところで、撹拌移送装置の具体的構成、形状、寸法、材質、架台Ａの具体的構成、形状、寸法、材質、支持手段の具体的構成、支持ローラ１の具体的構成、形状、寸法、材質、数、配設位置、取付支持部２の具体的構成、形状、寸法、材質、配設位置、取付支持部３の具体的構成、形状、寸法、材質、配設位置、駆動手段の具体的構成、ギャードモータ４の具体的構成、配設位置、数、スプロケット５の具体的構成、形状、寸法、材質、回転ドラムＢの具体的構成、形状、寸法、材質、配設位置、ドラム基筒１０の具体的構成、形状、寸法、材質、窓孔部１１の具体的構成、形状、寸法、配設位置、数、窓蓋板１２の具体的構成、形状、寸法、材質、配設位置、数、通気孔１３の具体的構成、形状、寸法、配設位置、数、止具の具体的構成、形状、寸法、材質、配設位置、数、通気フィルターの具体的構成、形状、寸法、材質、配設位置、数、ガイドリング２０の具体的構成、形状、寸法、材質、配設位置、数、チェーン２１の具体的構成、形状、寸法、材質、配設位置、固定手段、ドラム端部Ｃ、Ｄの具体的構成、形状、寸法、材質、配設位置、投入部３０の具体的構成、形状、寸法、配設位置、取付アーム３１の具体的構成、形状、寸法、材質、配設位置、温風導入部３２の具体的構成、形状、寸法、配設位置、取付片３３の具体的構成、形状、寸法、材質、数、配設位置、排出部３５の具体的構成、形状、寸法、配設位置、取付アーム３６の具体的構成、形状、寸法、材質、配設位置、温風排気部３７の具体的構成、形状、寸法、配設位置、取付片３８の具体的構成、形状、寸法、材質、数、配設位置、撹拌羽根体Ｅの具体的構成、形状、寸法、材質、回転軸４０の具体的構成、形状、寸法、材質、回転羽根片４１の具体的構成、形状、寸法、材質、配設位置、数、連結片４２の具体的構成、形状、寸法、材質、配設位置、数、撹拌羽根体Ｅを回転せしめる駆動手段の具体的構成、ギャードモータ４５の具体的構成、形状、寸法、配設位置、数、回転軸５０の具体的構成、形状、寸法、材質、配設位置、回転羽根片５１の具体的構成、形状、寸法、材質、数、配設位置、連結片５２の具体的構成、形状、寸法、材質、数、配設位置、固定羽根片Ｆの具体的構成、形状、寸法、材質、配設位置、数、囲繞外装体Ｇの具体的構成、形状、寸法、材質、排出路６０の具体的構成、形状、寸法、排出口６１の具体的構成、形状、寸法、配設位置、排出蓋６２の具体的構成、形状、寸法、材質、配設位置、点検窓孔６５の具体的構成、形状、寸法、配設位置、点検窓蓋６６の具体的構成、形状、寸法、材質、配設位置、送風機７０の具体的構成、寸法、配設位置、ヒーター７１の具体的構成、寸法、配設位置、管路７２の具体的構成、形状、寸法、材質、配設位置、切換レバーの具体的構成、形状、寸法、配設位置、脱臭器７４の具体的構成、寸法、配設位置等は図示例のもの等に限定されることなく適宜自由に設定、変更できるものである。
【００３２】
本発明の撹拌移送装置は、前述の如く構成されており、次にその使用例について説明すると、先ず、処理ドラム内に、水分調整材としてのおが屑（或いは、乾燥オカラ、その他）等を投入し、加えて、公知の微生物を混入し、この中に一般家庭や、企業等から出される生ゴミの如き有機性廃棄物を投入する。このとき、おが屑等と生ゴミの如き有機性廃棄物は、例えば、ドラム容量の約５０〜７０パーセント程度投入される。しかも、この内生ゴミの如き有機性廃棄物は、おが屑等の１／２〜１／１０程度の割合となるように設定される。
【００３３】
そして、ギャードモータ４の駆動によって回転ドラムＢと共に固定羽根Ｆを所定向きに回転せしめる。すると、処理ドラム内の有機性廃棄物等（おが屑と生ゴミの如き有機性廃棄物）は、撹拌羽根体Ｆによってドラムの回転向きに掬い上げるように持上げられてから落下する。
しかも、一対の撹拌羽根体Ｅは、ギャードモータ４５によって回転せしめられており、処理ドラム内下部の有機性廃棄物等が、一対の撹拌羽根体Ｅの駆動回転によって、無端環状に連続的に移送されるようになり、処理ドラム内の有機性廃棄物等は、全体的に満遍なく所定時間移動しながらその通気性が良くなるように均一に撹拌される。
このとき、適宜温風供給手段によって温度調節及び湿度調節された温風（或いは、熱風）が、温風導入部３２から処理ドラム内に供給され、混入された微生物の繁殖が促進されて、有機性廃棄物の発酵、分解が能率良く行われるようになる。ところで、有機性廃棄物等を乾燥せしめるときは、比較的温度の高い温風を温風導入部３２から供給し続けることで、有機性廃棄物等を能率良く乾燥できるようになる。尚、有機性廃棄物等の撹拌は、混入された微生物の繁殖が促進されて、有機性廃棄物の発酵、分解が能率良く行われるよう定期的に所望の間隔をおいて行われる。
【００３４】
更に、発酵、分解が終了した有機性廃棄物等や、乾燥が終了した有機性廃棄物等は、一対の撹拌羽根体Ｅの駆動回転によって、排出部３５にスムーズに移送され、排出部３５から、排出路６０、排出口６１を経て囲繞外装体Ｇ外に排出される。
【００３５】
【発明の効果】
従って、請求項１記載の発酵及び乾燥処理機に於ける撹拌移送装置は、生ゴミの如き有機性廃棄物等を発酵或いは乾燥処理して、肥料や飼料等として活用できるようにした発酵及び乾燥処理機に於いて、架台Ａに回転自在に横設されると共に、適宜駆動手段によって正逆自在に駆動回転する回転ドラムＢと、この回転ドラムＢの一端部を塞ぐように架台Ａに取付け可能な一方のドラム端部Ｃと、回転ドラムＢの他端部を塞ぐように架台Ａに取付け可能な他方のドラム端部Ｄとからなる処理ドラムを形成し、この処理ドラムの一方のドラム端部Ｃの上部には、有機性廃棄物等の投入手段を設け、他方のドラム端部Ｄの下部には、発酵、乾燥処理された有機性廃棄物等を排出する排出部３５を設け、回転ドラムＢの内表面には、処理ドラム内の有機性廃棄物等を回転ドラムＢの回転方向に沿って掬い上げるような複数の固定羽根片Ｆを固定し、一対のドラム端部Ｃ、Ｄの下部左右に夫々設けた軸受を介して略平行に配されると共に、一方のドラム端部Ｃの軸受と他方のドラム端部Ｄの軸受とで回転自在に軸架される一対の撹拌羽根体Ｅを形成し、一方の撹拌羽根体Ｅは、処理ドラム内の有機性廃棄物等を一方のドラム端部Ｃがわから他方のドラム端部Ｄがわに向って移送するように構成され、他方の撹拌羽根体Ｅは、処理ドラム内の有機性廃棄物等を他方のドラム端部Ｄがわから一方のドラム端部Ｃがわに向って移送するように構成され、一対の撹拌羽根体Ｅの駆動回転によって、処理ドラム内下部の有機性廃棄物等が無端環状に移送されるように構成したので、一対の撹拌羽根体Ｅの駆動回転と、回転ドラムＢの駆動回転とによって、比較的大きな比重差のある有機性廃棄物等を処理（撹拌）する場合に、これらを確実に、短時間に、且つ均一に撹拌できるようになる。
特に、一対の撹拌羽根体Ｅの駆動回転によって、発酵或いは乾燥処理された有機性廃棄物等を、発酵或いは乾燥処理作業を中断することなく排出部３５から処理ドラム外にスムーズに且つ連続的に排出できるようになる。
しかも、取扱いが容易で、構成が簡素で、耐久性に優れ、経済的な発酵及び乾燥処理機に於ける撹拌移送装置となる。
【００３６】
また、請求項２記載の発酵及び乾燥処理機に於ける撹拌移送装置は、撹拌羽根体Ｅを、一方のドラム端部Ｃの軸受と他方のドラム端部Ｄの軸受とで回転自在に軸架される回転軸４０と、この回転軸４０を囲繞するように配されると共に、螺旋状に捩れた状態に配される略長尺螺旋帯状の回転羽根片４１と、この回転羽根片４１を回転軸４０に連結する複数の連結片４２とで構成したので、一対の撹拌羽根体Ｅの駆動回転によって、比較的大きな比重差のある有機性廃棄物等を処理（撹拌）する場合に、これらを確実に、短時間に、且つ均一に撹拌できるようになる。
しかも、一対の撹拌羽根体Ｅの駆動回転によって、発酵或いは乾燥処理された有機性廃棄物等を、発酵或いは乾燥処理作業を中断することなく排出部３５から処理ドラム外にスムーズに且つ連続的に排出できるようになる。
【００３７】
更に、請求項３記載の発酵及び乾燥処理機に於ける撹拌移送装置は、撹拌羽根体Ｅを、一方のドラム端部Ｃの軸受と他方のドラム端部Ｄの軸受とで回転自在に軸架される回転軸５０と、この回転軸５０の軸心方向に沿って適宜間隔に配されると共に、回転軸５０の回転方向に沿って適宜間隔宛捩れた状態に配される複数の回転羽根片５１と、この複数の回転羽根片５１を回転軸５０に連結する複数の連結片５２とで構成したので、一対の撹拌羽根体Ｅの駆動回転によって、比較的大きな比重差のある有機性廃棄物等を処理（撹拌）する場合に、これらを確実に、短時間に、且つ均一に撹拌できるようになる。
しかも、一対の撹拌羽根体Ｅの駆動回転によって、発酵或いは乾燥処理された有機性廃棄物等を、発酵或いは乾燥処理作業を中断することなく排出部３５から処理ドラム外にスムーズに且つ連続的に排出できるようになる。
【図面の簡単な説明】
【図１】本発明の撹拌移送装置を例示する一部切欠正面図である。
【図２】本発明の撹拌移送装置を例示する一部切欠平面図である。
【図３】本発明の撹拌移送装置を例示する一部切欠側面図である。
【図４】本発明の撹拌移送装置を例示する一部切欠正面図である。
【図５】本発明の撹拌移送装置を例示する一部切欠平面図である。
【図６】本発明の撹拌移送装置を例示する一部切欠側面図である。
【符号の説明】
Ａ　　　架台
１　　　支持ローラ　　　　　　　　　　２　　　取付支持部
３　　　取付支持部
４　　　ギャードモータ　　　　　　　　５　　　スプロケット
Ｂ　　　回転ドラム
１０　　ドラム基筒　　　　　　　　　　１１　　窓孔部
１２　　窓蓋板　　　　　　　　　　　　１３　　通気孔
２０　　ガイドリング　　　　　　　　　２１　　チェーン
Ｃ　　　ドラム端部
３０　　投入部　　　　　　　　　　　　３１　　取付アーム
３２　　温風導入部　　　　　　　　　　３３　　取付片
Ｄ　　　ドラム端部
３５　　排出部　　　　　　　　　　　　３６　　取付アーム
３７　　温風排気部　　　　　　　　　　３８　　取付片
Ｅ　　　撹拌羽根体
４０　　回転軸　　　　　　　　　　　　４１　　回転羽根片
４２　　連結片
４５　　ギャードモータ
５０　　回転軸　　　　　　　　　　　　５１　　回転羽根片
５２　　連結片
Ｆ　　　固定羽根片
Ｇ　　　囲繞外装体
６０　　排出路　　　　　　　　　　　　６１　　排出口
６２　　排出蓋
６５　　点検窓孔　　　　　　　　　　　６６　　点検窓蓋
７０　　送風機　　　　　　　　　　　　７１　　ヒーター
７２　　管路　　　　　　　　　　　　　７４　　脱臭器
【図１】
2004141792.tif 000003
【図２】
2004141792.tif 000004
【図３】
2004141792.tif 000005
【図４】
2004141792.tif 000006
【図５】
2004141792.tif 000007
【図６】
2004141792.tif 000008